(57)【要約】      （修正有）【課題】人が椅子に腰かけ背もたれによりかかり加圧することで背すじや背骨を刺激し正しい姿勢を維持し、指圧ストレッチ効果やこりをほぐしたりマッサージ効果のある椅子の背もたれにつける指圧具を提供する。【解決手段】複数の指圧具５と、該指圧具を連結するとともに連結した指圧具同士の位置関係、距離等を自在に調整できる調整手段３を有している連結具１より構成されることを特徴とする椅子の背もたれに取り付ける指圧具。【選択図】図１
2008259798.tif 000002
【特許請求の範囲】
【請求項１】
複数の指圧具と、該指圧具を連結するとともに連結した指圧具同士の位置関係、距離等を自在に調整できる調整手段を有している連結具とより構成されることを特徴とする指圧具。
【請求項２】
椅子の背もたれに着脱自在に取り付けることができる着脱部を有する請求項１の指圧具。
【発明の詳細な説明】
【技術の分野】
【０００１】  本発明は人が椅子に腰かけ背もたれによりかかり加圧することで背すじや背骨を刺激し正しい姿勢を維持し、指圧ストレッチ効果やこりをほぐしたりマッサージ効果のある椅子の背もたれにつける指圧具に関するものである。
【背景の技術】
【背景技術】
【０００２】  従来、座った人が後方へよりかかって主に腰部背面を自身の体重で静かに加圧することにより、長い長方形の背板に上下に動く可動板とやや軟質の加圧材を取り付けた装置で、背すじや背骨を伸ばすための発明が知られている。
【特許文献１】  実用新案登録番号  第３０２６８８２号
【発明の開示】
【発明が解決しようとする課題】
【０００３】  そのために次のような問題点があった。
（イ）使われている素材が木を使用し大掛かりな構造のため、持ち運びに不便であり、取り付けるいすを限定してしまう。
（ロ）おもに腰部背面を目的とした背すじ伸ばし装置であり、背中上方の首すじや肩甲骨周りの筋肉の整体作用はないものだった。
本発明は以上の問題点を解決しようとするものである。
【課題を解決するための手段】
【０００４】  複数の指圧具と、該指圧具を連結するとともに連結した指圧具同士の位置関係、距離等を自在に調整できる調整手段を有している連結具とより構成されている。以上を特徴とする椅子の背もたれに取り付ける指圧具。
【発明の効果】
【０００５】  簡易的な構造のため、自動車のシート、リビングのソファーなどのいすにも取り付けることがき、持ち運びにも便利である。背中全体を刺激して骨格の大きさやツボの場所によって複数の指圧具を自在に連結具に簡単に調整連結することができ、よりかかり方を変えることで指圧具から受ける圧力を調整することができる。さらに指圧具の形状と大きさを変えることでより効果を高めることができる。
【発明を実施するための最良の形態】
【０００６】  以下、本発明の第一の実施の形態について説明する。
（イ）方形でシート状の連結具（１）に指圧具（５）を着脱自在に取り付けると共に、指圧具（５）の位置調整をするための面ファスナー（３）を設ける。
（ロ）面ファスナー（３）はシート全面に設けても問題ないが、機能上シートの両端に設ければ良い。シートは方形状であることが望ましいが、他の形状であっても問題ない。また、指圧具（５）を着脱自在に取り付けられれば、面ファスナー（３）以外のもの、例えば、マグネット、ボタン等でも問題ない。
（ハ）前記連結具（１）には、椅子、車のシート等に着脱自在に取り付けることができる着脱具（２）が設けられている。着脱具（２）は椅子の形状に合わせて取り付け固定するために長さの調節可能なひも状の先端にプラスチック素材からなるフックを設ける。
（ニ）連結具（１）と着脱具（２）の材質は耐久性と強度をだすためにナイロン等の材料が望ましい。
（ホ）指圧具（５）は人体の脊柱の湾曲に適合するようにかまぼこ状の形状であることが望ましい。頸椎（６）の湾曲と腰椎（７）の湾曲の大きさは異なるため指圧具（５）はそれぞれの大きさに合わせることが望ましい。連結具（１）に取り付けるために、指圧具（５）の裏平面部の両端に面ファスナー（３）を設ける。
（ヘ）指圧具（５）の材質は指圧効果を得るためにある程度の硬さがあるものでＰＶＣ素材、プラスチック等が望ましい。また、指圧具（５）にゲルマニウム、マイナスイオン等を含有させることで、血行促進等の効果も得ることができる。
本発明は以上のような構造からなっており、これを使用するときは、着脱具（２）で連結具（１）を座るいすの背もたれに取り付ける。連結具（１）に指圧具（５）を取り付けるときには、自身の背骨の脊柱のＳ字の骨格にあわせて指圧具（５）を頸椎（６）にあたる首すじ周辺部に１つと腰椎（７）にあたる腰の周辺部に１つ計２つを調整して面ファスナー（３）で連結具（１）に取り付け固定する。また、指圧具（５）１つでの使用も可能である。椅子に座り背もたれによりかかり加圧することで脊柱の骨格に湾曲を作りながら正しい姿勢を保ち、背中全体の指圧ストレッチ効果を得ることができる。さらに指圧具（５）の大きさを変えることで効果をより高めることができる。
本実施の形態では、連結具（１）がシート状であるため、床、マット等に敷いてその上に横臥することによっても指圧効果を得ることができる。この場合、着脱具（２）は必要としない。【０００７】  以下、本発明の第二の実施の形態について説明する。
（イ）第一の実施の形態と異なる部分はボール状の指圧具（５）に貫通孔を設けひも状の連結具（１）に挿通させ、貫通孔のついたボール状の指圧具（５）を連結具（１）に固定すると共に指圧具（５）の位置調整をするために通し穴のついた止め具（４）を設ける。止め具（４）を連結具（１）に先に通し止め、指圧具（５）をその上からかぶせて固定する。前記指圧具（５）はボール状のものが望ましいが他の形状であっても問題はない。
（ロ）止め具（４）の素材はゴム製のものが望ましいが、他のものでも問題はない。
（ハ）着脱具（２）はひも状の連結具（１）の両端に設けられており、連結具（１）と一体成型されていても良い。
本発明は以上のような構造からなっており、これを使用するときは、先に連結具（１）に止め具（４）を通し自身の背中の肩甲骨周辺のツボやコリのある局部に当たるように止めて、指圧具（５）を上からはめて固定する。いすに腰かけ背もたれによりかかり加圧することでこりをほぐしたり体をゆすることでマッサージ効果が得られる。さらに指圧具の大きさを選択することで効果をより高めることができる。
本実施の形態の発明は連結具（１）がひも状であるため、指圧具（５）が背中や首筋に当るように連結具（１）を手に持って指圧することも可能である。この場合、着脱具（２）は必要としない。
【図面の簡単な説明】
【０００８】
【図１】  本発明の第一の実施の形態の斜視図
【図２】  本発明の第一の実施の形態の分解斜視図
【図３】  本発明の第一の実施の形態の使用状態を示す側面図
【図４】  本発明の第二の実施の形態の斜視図
【図５】  本発明の第二の実施の形態の分解斜視図
【図６】  本発明の第二の実施の形態の使用状態を示す側面図
【符号の説明】
【０００９】  １  連結具
２  着脱具
３  面ファスナー
４  止め具
５  指圧具
６  頸椎
７  腰椎
【図１】
2008259798.tif 000003
【図２】
2008259798.tif 000004
【図３】
2008259798.tif 000005
【図４】
2008259798.tif 000006
【図５】
2008259798.tif 000007
【図６】
2008259798.tif 000008